(57)【要約】【課題】報知に起因して、ユーザに不快感を与えるのを抑制することが可能な警報器を提供する。【解決手段】この警報器１００は、ガス、火災および一酸化炭素のうちの少なくとも１つを検知する検知部１と、報知を行う報知部２と、電源の投入時の点検動作において、状態を報知部２に報知させるように制御する制御部４とを備える。そして、制御部４は、電源の投入時に点検動作を実施し、電源の投入時の点検動作における、正常である場合の報知部２からの報知の態様を、機器の使用状態情報に基づいて変更するように制御する。【選択図】図２
2020123077.tif 000002
【特許請求の範囲】
【請求項１】
ガス、火災および一酸化炭素のうちの少なくとも１つを検知する検知部と、
報知を行う報知部と、
電源の投入時の点検動作において、状態を前記報知部に報知させるように制御する制御部とを備え、
前記制御部は、前記電源の投入時に点検動作を実施し、前記電源の投入時の点検動作における、正常である場合の前記報知部からの報知の態様を、機器の使用状態情報に基づいて変更するように制御する、警報器。
【請求項２】
前記報知部は、少なくとも音声によって前記状態を報知するように構成されており、
前記制御部は、前記機器の使用状態情報に基づいて、正常である場合の前記報知部から報知される音声を小さくするか、または、正常であることを音声により報知しないように制御する、請求項１に記載の警報器。
【請求項３】
前記報知部は、音声に加えて電灯の点灯状態によって前記状態を報知するように構成されており、
前記制御部は、正常である場合の前記電灯の点灯状態を、前記機器の使用状態情報にかかわらず変更せずに、前記機器の使用状態情報に基づいて、正常である場合の前記報知部から報知される音声を小さくするか、または、正常であることを音声により報知しないように制御する、請求項２に記載の警報器。
【請求項４】
前記報知部は、前記電源の投入時の点検動作において、異常である場合を報知するように構成されており、
前記制御部は、異常である場合の報知の態様を、前記機器の使用状態情報にかかわらず同じになるように制御する、請求項１〜３のいずれか１項に記載の警報器。
【請求項５】
点検動作の操作を受け付ける点検動作受付部をさらに備え、
前記制御部は、前記点検動作受付部によって点検動作が受け付けられた場合、正常である場合の報知の態様と、異常である場合の報知の態様とを、前記機器の使用状態情報にかかわらず同じになるように制御する、請求項４に記載の警報器。
【請求項６】
前記機器の使用状態情報は、前記電源の投入回数と使用期間とのうちの少なくとも一方を含む、請求項１〜５のいずれか１項に記載の警報器。
【発明の詳細な説明】
【技術分野】
【０００１】
この発明は、警報器に関し、特に、電源の投入時の点検動作が行われる警報器に関する。
【背景技術】
【０００２】
従来、電源の投入時の点検動作が行われる警報器が知られている（たとえば、特許文献１参照）。
【０００３】
上記特許文献１には、電源スイッチがオンにされることにより電源が投入される際に、自動初期点検処理が行われるガス警報器が開示されている。自動初期点検処理では、ガスセンサや、ＣＯセンサなどの機器要素の故障診断が行われる。そして、自動初期点検の結果、機器要素が正常の場合、「正常です」という音声が鳴動（報知）される。また、機器要素の故障が検出された場合、「故障です」という音声が鳴動される。また、ガス警報器の有効期限が切れている（経過している）ことが検出された場合、「有効期限が切れています」という音声が鳴動される。
【先行技術文献】
【特許文献】
【０００４】
【特許文献１】特開２０１６−１４８８８４号公報
【発明の概要】
【発明が解決しようとする課題】
【０００５】
上記特許文献１には明記されていないが、上記特許文献１のような従来のガス警報器では、電源が投入されるごとに、上記の自動初期点検処理が行われると考えられる。たとえば、停電など（または、ユーザによるリセット操作）によりガス警報器の電源が一旦オフにされた後、復電などによりガス警報器に電源が投入された際に、再び、自動初期点検処理が行われると考えられる。このため、上記特許文献１のような従来のガス警報器では、ユーザの意図しないタイミングで自動初期点検処理が行われ、ガス警報器が正常であれば、「正常です」という音声が鳴動される。その結果、ユーザに不快感を与える場合があるという問題点がある。
【０００６】
この発明は、上記のような課題を解決するためになされたものであり、この発明の１つの目的は、報知に起因して、ユーザに不快感を与えるのを抑制することが可能な警報器を提供することである。
【課題を解決するための手段】
【０００７】
この発明の一の局面による警報器は、ガス、火災および一酸化炭素のうちの少なくとも１つを検知する検知部と、報知を行う報知部と、電源の投入時の点検動作において、状態を報知部に報知させるように制御する制御部とを備え、制御部は、電源の投入時に点検動作を実施し、電源の投入時の点検動作における、正常である場合の報知部からの報知の態様を、機器の使用状態情報に基づいて変更するように制御する。
【０００８】
この発明の一の局面による警報器では、上記の構成によって、正常である場合の報知部からの報知の態様が、機器の使用状態情報に基づいて変更されるので、報知の態様をユーザに不快感を与えないように変更することができる。これにより、報知に起因して、ユーザに不快感を与えるのを抑制することができる。
【０００９】
上記一の局面による警報器において、好ましくは、報知部は、少なくとも音声によって状態を報知するように構成されており、制御部は、機器の使用状態情報に基づいて、正常である場合の報知部から報知される音声を小さくするか、または、正常であることを音声により報知しないように制御する。このように構成すれば、正常である場合の報知部から報知される音声が小さい場合には、報知の音声がユーザに耳障りにならないので、ユーザに不快感を与えるのを抑制することができる。また、正常であることを音声により報知しない場合には、報知の音声をユーザが聞くことはないので、ユーザに不快感を与えるのを抑制することができる。
【００１０】
この場合、好ましくは、報知部は、音声に加えて電灯の点灯状態によって状態を報知するように構成されており、制御部は、正常である場合の電灯の点灯状態を、機器の使用状態情報にかかわらず変更せずに、機器の使用状態情報に基づいて、正常である場合の報知部から報知される音声を小さくするか、または、正常であることを音声により報知しないように制御する。このように構成すれば、正常である場合に報知部から報知される音声が小さいか、または、正常であることが音声により報知されない場合でも、ユーザは、電灯の点灯状態を視認することによって、警報器が正常であるか否かを確認することができる。
【００１１】
上記一の局面による警報器において、好ましくは、報知部は、電源の投入時の点検動作において、異常である場合を報知するように構成されており、制御部は、異常である場合の報知の態様を、機器の使用状態情報にかかわらず同じになるように制御する。このように構成すれば、警報器が異常である場合には、必ず報知が行われるので、異常である警報器が継続して使用されるのを抑制することができる。
【００１２】
この場合、好ましくは、点検動作の操作を受け付ける点検動作受付部をさらに備え、制御部は、点検動作受付部によって点検動作が受け付けられた場合、正常である場合の報知の態様と、異常である場合の報知の態様とを、機器の使用状態情報にかかわらず同じになるように制御する。このように構成すれば、ユーザが意図的に点検動作受付部を操作して点検動作を行う場合には、正常である場合および異常である場合の報知が必ず行われる。これにより、ユーザの意に反して、報知が行われなくなる（または、報知が聞き取りにくくなるなど）のを抑制することができる。
【００１３】
上記一の局面による警報器において、好ましくは、機器の使用状態情報は、電源の投入回数と使用期間とのうちの少なくとも一方を含む。このように構成すれば、警報器が家屋等に設置された初期の期間であると考えられる電源の投入回数が比較的小さい場合（使用期間が比較的短い場合）と、警報器が家屋等に設置された後に警報器の動作が継続して行われている期間であると考えられる電源の投入回数が比較的多い場合（使用期間が比較的長い場合）との間で、報知の態様を変更することができる。
【発明の効果】
【００１４】
本発明によれば、上記のように、報知に起因して、ユーザに不快感を与えるのを抑制することができる。
【図面の簡単な説明】
【００１５】
【図１】一実施形態による警報器を示した斜視図である。
【図２】一実施形態による警報器の構成を示したブロック図である。
【図３】電源の投入時の点検動作を示したフロー図である。
【図４】操作部が操作されたことによる点検動作を示したフロー図である。
【発明を実施するための形態】
【００１６】
以下、本発明の実施形態を図面に基づいて説明する。
【００１７】
まず、図１および図２を参照して、一実施形態による警報器１００の構成について説明する。
【００１８】
（警報器の全体構成）
図１に示す警報器１００は、たとえば屋内に設置される。警報器１００は、たとえば家庭用警報器であるが、業務用、または家庭用と業務用との兼用として構成されうる。図１に示す警報器１００は、屋内の壁面に取り付けられる壁掛けタイプの警報器の例を示している。警報器１００は、屋内の天井に取り付けられる天井取付タイプでもよい。
【００１９】
警報器１００は、検知部１と、報知部２と、操作部３と、制御部４（図２参照）とを備える。図１および図２の例では、警報器１００は、検知部１と、報知部２と、操作部３と、制御部４とが筐体に組み込まれた警報器本体１０を備えている。
【００２０】
検知部１は、設置環境における異常検知を行う。具体的には、検知部１は、ガス、火災および一酸化炭素（ＣＯ）の少なくとも１つを検知するように構成されている。ガスおよび火災の異常検知は、ガス漏れ、および火災に伴い発生する熱（温度）または煙を検知することである。検知部１は、さらに、ガスおよび火災以外を検知対象としてもよい。
【００２１】
たとえば、検知部１のセンサ１１は、半導体式ガス検知素子により構成されており、具体的には熱線型半導体式ガスセンサにより構成されうる。熱線型半導体式ガスセンサは、電流供給により所定温度（数百℃）に加熱された素子表面に検知対象ガスが吸着すると電気伝導度が変化することを利用して、検知対象ガス濃度を検出するように構成されている。センサ１１は、検知対象ガスとしての燃料ガスに含まれるメタンや、不完全燃焼などに伴って発生するＣＯガスを検知対象ガスとして検出する。警報器本体１０には、周囲のガスを筐体内の検知部１に接触させるための開口部１０ａ（図１参照）が形成されている。
【００２２】
報知部２は、少なくとも、報知音（音声）により報知を行うように構成されている。つまり、報知部２は、報知音を出力するスピーカ２１を有する。本実施形態では、報知部２は、スピーカ２１に加えて、点灯または点滅により報知を行う電灯２２を有する。
【００２３】
スピーカ２１は、制御部４に制御されることにより、所定の報知音（音声）を出力する。警報器本体１０には、スピーカ２１の音を外部に拡散させるための開口部１０ｂ（図１参照）が形成されている。
【００２４】
電灯２２は、制御部４に制御されることにより、所定の色の光を発生するように構成されている。電灯２２は、たとえばＬＥＤ光源により構成される。電灯２２は、１つまたは複数設けられるが、図１の例では、警報器本体１０に３つの電灯２２が設けられている。３つの電灯２２は、それぞれ異なる色（たとえば、赤色、黄色、緑色）の光を発生させる。たとえば、赤色の電灯２２は、ガスに関する報知を行い、黄色の電灯２２は、ＣＯに関する報知を行い、緑色の電灯２２は、電源、故障、その他の警報器１００の動作などに関する報知を行う。
【００２５】
操作部３は、警報器１００に対する操作入力を受け付けるように構成されている。操作部３の構造は、特に限定されず、押しボタン式、レバー式、ロータリー式などの各種スイッチや、タッチセンサなどであり得る。図１では、操作部３は、警報器本体１０に設けられた押しボタン式のスイッチにより構成されている。警報器本体１０には、１つの操作部３が設けられている。操作部３は、入力操作（押圧操作）を受け付けて入力信号を制御部４へ出力する。警報器本体１０は、複数の操作部３を含んでいてもよい。
【００２６】
ここで、本実施形態では、操作部３は、点検動作の操作を受け付けるように構成されている。なお、操作部３が操作されることによる点検動作は、ユーザによる任意のタイミングにより行われる。一方、下記に記載する警報器１００の電源の投入時の点検動作は、警報器１００の電源の投入によってユーザの意思にかかわらず行われる。なお、操作部３は、特許請求の範囲の「点検動作受付部」の一例である。
【００２７】
図２に示すように、制御部４は、警報器１００が備える各部の制御処理を行う。制御部４は、ＣＰＵまたはマイコンなどのプロセッサ（演算処理装置）を含む。制御部４は、警報器１００の状態を報知部２に報知させるように制御する。すなわち、制御部４は、検知部１の検知結果が、予め設定された報知条件を満たす場合に、報知部２に報知させる制御を行う。報知部２による報知は、スピーカ２１による報知音の出力と、電灯２２の点灯または点滅と、を含む。制御部４は、経過時間を計測する計時機能を備える。
【００２８】
また、警報器１００は、記憶部５および電源部６を備えている。記憶部５は、検知結果に対する検知対象ガス毎の報知条件のデータ、報知部２により出力される音声（メッセージ）のデータなどの、制御部４の制御処理に必要な情報を記憶する。また、記憶部５は、不揮発性メモリなどを含み、警報器１００の動作に伴い発生した各種情報を書き換え可能に記憶するように構成されている。電源部６は、制御部４、報知部２、検知部１および記憶部５の動作に必要な電力を供給する。電源部６は、電池式および外部電源式のいずれかまたは両方でありうる。本実施形態では、電源部６は、外部電源式であり、屋内の電源ソケットに接続される電源プラグを介して外部電源からの電力供給を受ける。
【００２９】
（制御部の詳細な構成）
制御部４は、警報器１００の動作および状態に関する情報を、報知部２から音声を出力（鳴動）させることにより、ユーザに報知させる制御を行うように構成されている。後述するように、たとえば、警報器１００から、警報器１００の点検結果が報知される。
【００３０】
（初期動作）
制御部４は、警報器本体１０の電源投入時に、警報器本体１０に初期動作を実施させる制御を行うように構成されている。電源投入時は、たとえば、電源部６の電源プラグが外部電源に接続された時である。なお、警報器本体１０に電源スイッチが設けられている場合には、電源投入時は、電源スイッチにより電源が入力されたときである。
【００３１】
制御部４は、警報器本体１０の電源投入時から、所定の期間（たとえば３０秒）の間、初期動作を実施する。
【００３２】
警報器本体１０の初期動作は、警報器１００が通常の監視動作（検知部１の検知結果に基づいて設置環境が報知条件を満たしたか否かを監視する動作）を開始するために実施される動作である。具体的には、初期動作は、検知部１のセンサ１１の出力を安定化させるための通電動作を含む。センサ１１は、電流供給により所定温度（数百℃）に加熱されるため、電源投入直後、センサ１１の出力信号が安定するまでの間に過渡状態が存在する。制御部４は、所定の期間の間、初期動作としてセンサ１１に通電を行ってセンサ１１の出力信号を安定させる。
【００３３】
（電源の投入時の点検動作）
また、警報器本体１０の初期動作は、電源の投入時の点検動作を含む。制御部４は、電流および電圧を確認することにより、検知部１（センサ１１）の異常、温度サーミスタ（図示せず）の異常、報知部２（スピーカ２１および電灯２２）の異常、操作部３の異常を点検する。また、制御部４は、記憶部５にアクセスして記憶部５のデータエラーの有無を点検する。
【００３４】
なお、警報器１００では、電源の投入から所定の期間（たとえば、３０秒間）、ガス、火災、および、一酸化炭素などの検出に対する報知は行わない。電源の投入時の点検動作は、この所定の期間の間に行われる。そして、所定の期間の経過後、点検結果が報知される。
【００３５】
点検結果は、たとえば「正常」、「故障」および「有効期限切れ」の３パターンを含む。この場合、点検結果を報知するための音声の例は、以下の通りである。正常時には、「正常です」という音声が鳴動される。故障時には、「故障です。販売店に連絡して下さい」という音声が鳴動される。有効期限切れの際には、「有効期限が切れています。販売店に連絡して下さい」という音声が鳴動される。なお、故障および有効期限切れは、特許請求の範囲の「異常である場合」の一例である。
【００３６】
ここで、本実施形態では、制御部４は、電源の投入時に点検動作を実施し、電源の投入時の点検動作における、正常である場合の報知部２からの報知の態様を、機器（警報器１００）の使用状態情報に基づいて変更するように制御する。具体的には、制御部４は、警報器１００の使用期間に基づいて、正常であることを音声により報知しないように制御する。
【００３７】
詳細には、制御部４は、使用期間が所定の使用期間以下の場合、正常であることが、音声（たとえば、比較的大きな音量の音声）によって、報知部２から報知されるように制御する。たとえば、警報器１００の使用期間が３０日以下の場合、比較的大きな音量の音声によって、「正常です」という音声が報知部２から鳴動（報知）される。ここで、「使用期間」とは、初回の電源の投入時からの警報器１００の総駆動時間である。つまり、電源部６の電源プラグが外部電源に接続されている時間（積算時間）である。また、積算時間は、制御部４の経過時間を計測する計時機能によりカウントされる。また、制御部４は、電源が投入された際に、時間の積算を開始して、電源の供給が停止された際に、時間の積算を停止する。また、制御部４は、再び、電源が投入された際に、時間の積算を再開する。
【００３８】
また、本実施形態では、制御部４は、使用期間が所定の使用期間を超えている場合、正常であることを音声により報知しないように制御する。たとえば、使用期間が３０日を超えている場合、正常であることが音声により報知されない（音声が無音にされる）。すなわち、電源が投入された時点で、上記の積算時間が３０日以下の場合、比較的大きな音量によって、「正常です」という音声が鳴動される。一方、電源が投入された時点で、上記の積算時間が３０日を超えている場合、正常であることが報知されない。
【００３９】
また、本実施形態では、制御部４は、異常である場合（故障の場合、および、有効期限が切れている場合）の報知の態様を、使用期間にかかわらず同じになるように制御する。たとえば、警報器１００が故障の場合、警報器１００の使用期間にかかわらず、「故障です。販売店に連絡して下さい」という比較的大きな音量の音声が鳴動（報知）される。また、警報器１００の有効期限が切れている場合、警報器１００の使用期間にかかわらず、「有効期限が切れています。販売店に連絡して下さい」という比較的大きな音量の音声が鳴動される。
【００４０】
また、本実施形態では、報知部２は、音声に加えて電灯２２の点灯状態によって状態を報知するように構成されている。たとえば、正常である場合、緑の電灯２２が点灯される。また、異常である場合（故障の場合、および、有効期限が切れている場合）、緑の電灯２２が点滅する。そして、制御部４は、正常である場合の電灯２２の点灯状態を、使用期間にかかわらず変更しないように制御する。つまり、警報器１００の使用期間にかかわらず、正常である場合、緑の電灯２２が点灯され、異常である場合（故障の場合、および、有効期限が切れている場合）、緑の電灯２２が点滅する。
【００４１】
（操作部の操作による点検動作）
また、電源の投入時の点検動作とは別に、ユーザの操作によっても、点検動作が実施される。具体的には、制御部４は、初期動作の終了後、ユーザの操作部３に対する操作に応じて警報器本体１０の点検動作を行う。操作部３への入力は、押しボタン式の操作部３に対する押圧操作である。
【００４２】
ここで、本実施形態では、制御部４は、操作部３によって点検動作が受け付けられた場合、正常である場合の報知の態様と、異常である場合（故障の場合および有効期限が切れている場合）の報知の態様とを、機器の使用状態情報にかかわらず同じになるように制御する。具体的には、警報器１００の使用期間にかかわらず、正常である場合には、比較的大きな音量によって、「正常です」という音声が鳴動される。また、警報器１００の使用期間にかかわらず、故障である場合には、「故障です。販売店に連絡して下さい」という音声が鳴動される。また、警報器１００の使用期間にかかわらず、有効期限が切れている場合には、「有効期限が切れています。販売店に連絡して下さい」という音声が鳴動される。
【００４３】
（電源の投入時の点検動作の制御処理）
次に、図３を参照して、電源の投入時の警報器１００の点検動作の制御処理について説明する。なお、この制御処理は、制御部４によって行われる。
【００４４】
まず、ステップＳ１において、警報器本体１０の電源が投入されると、電源投入からの経過時間がカウントされる。経過時間は、警報器１００の使用期間として積算される。
【００４５】
次に、ステップＳ２において、電源の投入時の点検動作が開始される。すなわち、検知部１、温度サーミスタ、報知部２および操作部３などの異常の有無が点検される。点検動作が終了すると、ステップＳ３に進む。
【００４６】
ステップＳ３において、積算された使用期間が、所定の使用期間（たとえば、３０日など）を超えているか否かが判定される。ステップＳ３において、積算された使用期間が、所定の使用期間以下（Ｎｏ）の場合、ステップＳ４に進む。
【００４７】
ステップＳ４において、点検の結果が正常である場合、「正常です」という音声が鳴動される。また、点検の結果が異常（故障）である場合、「故障です。販売店に連絡して下さい」という音声が鳴動される。また、点検の結果が異常（有効期限切れ）である場合、「有効期限が切れています。販売店に連絡して下さい」という音声が鳴動される。また、点検の結果が正常である場合、緑の電灯２２が点灯され、点検の結果が異常である場合、緑の電灯２２が点滅される。
【００４８】
ステップＳ３において、積算された使用期間が、所定の使用期間を超えている（Ｙｅｓ）の場合、ステップＳ５に進む。ここで、本実施形態では、ステップＳ５において、点検の結果が正常である場合、「正常です」という音声が鳴動されない。つまり、警報器１００から音声は発せられない（無音である）。たとえば、警報器１００が所定の使用期間を超えて使用されている場合において、停電などにより電源が遮断されるとする。そして、その後、復電により電源が投入された際には、「正常です」という音声は鳴動されない。一方、点検の結果が異常である場合の報知は、積算された使用期間が所定の使用期間以下の場合と同様である。すなわち、点検の結果が異常（故障）である場合、「故障です。販売店に連絡して下さい」という音声が鳴動される。また、点検の結果が異常（有効期限切れ）である場合、「有効期限が切れています。販売店に連絡して下さい」という音声が鳴動される。点検の結果が正常である場合、緑の電灯２２が点灯され、点検の結果が異常である場合、緑の電灯２２が点滅される。すなわち、緑の電灯２２による報知の態様は、積算された使用期間が所定の使用期間を超えているか否かにかかわらず同じである。
【００４９】
以上のようにして、電源の投入時の点検動作の制御処理が行われる。
【００５０】
（操作部が操作されたことよる点検動作の制御処理）
次に、図４を参照して、操作部３が操作されたことによる警報器１００の点検動作の制御処理について説明する。なお、この制御処理は、制御部４によって行われる。
【００５１】
まず、ステップＳ１１において、ユーザによる操作部３の操作（入力）が受け付けられる。
【００５２】
次に、ステップＳ１２において、操作部３が操作されたことによる点検動作が開始される。すなわち、検知部１、温度サーミスタ、報知部２および操作部３などの異常の有無が点検される。点検動作が終了すると、ステップＳ１３に進む。
【００５３】
ステップＳ１３において、点検の結果が正常である場合、「正常です」という音声が鳴動される。すなわち、使用期間にかかわらず、「正常です」という音声が鳴動される。また、点検の結果が異常（故障）である場合、「故障です。販売店に連絡して下さい」という音声が鳴動される。また、点検の結果が異常（有効期限切れ）である場合、「有効期限が切れています。販売店に連絡して下さい」という音声が鳴動される。
【００５４】
以上のようにして、操作部３が操作されたことよる点検動作の制御処理が行われる。
【００５５】
（本実施形態の効果）
本実施形態では、以下のような効果を得ることができる。
【００５６】
本実施形態では、上記のように、正常である場合の報知部２からの報知の態様が、使用期間に基づいて変更されるので、報知の態様をユーザに不快感を与えないように変更することができる。これにより、報知に起因して、ユーザに不快感を与えるのを抑制することができる。
【００５７】
また、本実施形態では、上記のように、制御部４は、使用期間に基づいて、正常であることを音声により報知しないように制御する。これにより、報知の音声をユーザが聞くことはないので、ユーザに不快感を与えるのを抑制することができる。
【００５８】
また、本実施形態では、上記のように、制御部４は、正常である場合の電灯２２の点灯状態を、使用期間にかかわらず変更せずに、使用期間に基づいて正常であることを音声により報知しないように制御する。これにより、正常であることが音声により報知されない場合でも、ユーザは、電灯２２の点灯状態を視認することによって、警報器１００が正常であるか否かを確認することができる。
【００５９】
また、本実施形態では、上記のように、制御部４は、異常である場合の報知の態様を、機器の使用状態情報にかかわらず同じになるように制御する。これにより、警報器１００が異常である場合には、必ず報知が行われるので、異常である警報器１００が継続して使用されるのを抑制することができる。
【００６０】
また、本実施形態では、上記のように、操作部３によって点検動作が受け付けられた場合、正常である場合の報知の態様と、異常である場合の報知の態様とを、機器の使用状態情報にかかわらず同じになるように制御する。これにより、ユーザが意図的に操作部３を操作して点検動作を行う場合には、正常である場合および異常である場合の報知が必ず行われる。その結果、ユーザの意に反して、報知が行われなくなる（または、報知が聞き取りにくくなるなど）のを抑制することができる。
【００６１】
また、本実施形態では、上記のように、使用期間に基づいて、正常である場合の報知の態様が変更される。これにより、警報器１００が家屋等に設置された初期の期間であると考えられる使用期間が比較的短い場合と、警報器１００が家屋等に設置された後に警報器１００の動作が継続して行われている期間であると考えられる使用期間が比較的長い場合との間で、報知の態様を変更することができる。
【００６２】
[変形例]
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６３】
たとえば、上記実施形態では、電源の投入時の点検動作において、使用期間が所定の使用期間を超えている場合、正常であることが音声により報知されない例を示したが、本発明はこれに限られない。本発明では、電源の投入時の点検動作において、使用期間が所定の使用期間を超えている場合、報知部２から報知される音声を、使用期間が所定の使用期間以下の場合の音声よりも小さくしてもよい。つまり、比較的小さい音量によって、「正常です」という音声を鳴動してもよい。これにより、報知の音声がユーザに耳障りにならないので、ユーザに不快感を与えるのを抑制することができる。
【００６４】
また、上記実施形態では、報知部２は、音声に加えて電灯２２の点灯状態によって警報器１００の状態を報知する例を示したが、本発明はこれに限られない。たとえば、報知部２は、音声のみによって警報器１００の状態を報知してもよい。
【００６５】
また、上記実施形態では、警報器１００の異常として、警報器１００の故障と、警報器１００の有効期限切れとが報知される例を示したが、本発明はこれに限られない。たとえば、警報器１００の異常として、故障および有効期限切れ以外の異常を報知してもよい。
【００６６】
また、上記実施形態では、警報器１００の使用期間に基づいて、正常である場合の報知部２からの報知の態様を変更する例を示したが、本発明はこれに限られない。本発明では、電源の投入回数に基づいて、正常である場合の報知部２からの報知の態様が変更されてもよい。たとえば、初回（第１回目）の電源の投入時における点検動作では、「正常です」という音声が鳴動される。一方、２回目以降の電源の投入時における点検動作では、「正常です」という音声は鳴動されない。また、使用期間と電源の投入回数との両方に基づいて、正常である場合の報知の態様を変更してもよい。たとえば、使用期間が所定の使用期間を超えていることと、電源の投入回数が所定の回数を超えていることとのうち、いずれか一方が満たされた場合に、正常である場合の報知の態様が変更されてもよい。
【００６７】
また、外部のサーバや外部の端末から、警報器１００の使用状態情報を取得し、使用状態情報に基づいて、正常である場合の報知の態様が変更されてもよい。また、使用状態情報は、上記の使用期間や電源の投入回数以外の何らかの使用状態情報であってもよい。
【００６８】
また、上記実施形態では、使用期間が、初回の電源の投入時からの警報器１００の総駆動時間である例を示したが、本発明はこれに限られない。たとえば、使用期間が、電源投入からの警報器１００の連続駆動時間が一定の時間以上である場合の、警報器１００の総駆動時間であってもよい。
【符号の説明】
【００６９】
１  検知部
２  報知部
３  操作部（点検動作受付部）
４  制御部
２２  電灯
１００  警報器
【図１】
2020123077.tif 000003
【図２】
2020123077.tif 000004
【図３】
2020123077.tif 000005
【図４】
2020123077.tif 000006
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
ガス、火災および一酸化炭素のうちの少なくとも１つを検知する検知部と、
報知を行う報知部と、
電源の投入時の点検動作において、状態を前記報知部に報知させるように制御する制御部とを備え、
前記制御部は、前記電源の投入時に点検動作を実施し、前記電源の投入時の点検動作における、正常である場合の前記報知部からの報知の態様を、前記電源が投入されたことに基づく機器の使用状態情報に基づいて変更するように制御する、警報器。
【請求項２】
前記制御部は、前記電源の投入時に点検動作を実施し、前記電源の再投入時の点検動作における、正常である場合の前記報知部からの報知の態様を、前記電源が投入されたことに基づく機器の使用状態情報に基づいて変更するように制御する、請求項１に記載の警報器。
【請求項３】
前記報知部は、少なくとも音声によって前記状態を報知するように構成されており、
前記制御部は、前記機器の使用状態情報に基づいて、正常である場合の前記報知部から報知される音声を小さくするか、または、正常であることを音声により報知しないように制御する、請求項１または２に記載の警報器。
【請求項４】
前記報知部は、音声に加えて電灯の点灯状態によって前記状態を報知するように構成されており、
前記制御部は、正常である場合の前記電灯の点灯状態を、前記機器の使用状態情報にかかわらず変更せずに、前記機器の使用状態情報に基づいて、正常である場合の前記報知部から報知される音声を小さくするか、または、正常であることを音声により報知しないように制御する、請求項３に記載の警報器。
【請求項５】
ガス、火災および一酸化炭素のうちの少なくとも１つを検知する検知部と、
報知を行う報知部と、
電源の投入時の点検動作において、状態を前記報知部に報知させるように制御する制御部とを備え、
前記制御部は、前記電源の投入時に点検動作を実施し、前記電源の投入時の点検動作における、正常である場合の前記報知部からの報知の態様を、機器の使用状態情報に基づいて変更するように制御し、
前記報知部は、前記電源の投入時の点検動作において、異常である場合を報知するように構成されており、
前記制御部は、異常である場合の報知の態様を、前記機器の使用状態情報にかかわらず同じになるように制御し、
点検動作の操作を受け付ける点検動作受付部をさらに備え、
前記制御部は、前記点検動作受付部によって点検動作が受け付けられた場合、正常である場合の報知の態様と、異常である場合の報知の態様とを、前記機器の使用状態情報にかかわらず同じになるように制御する、警報器。
【請求項６】
ガス、火災および一酸化炭素のうちの少なくとも１つを検知する検知部と、
報知を行う報知部と、
電源の投入時の点検動作において、状態を前記報知部に報知させるように制御する制御部とを備え、
前記制御部は、前記電源の投入時に点検動作を実施し、前記電源の投入時の点検動作における、正常である場合の前記報知部からの報知の態様を、機器の使用状態情報に基づいて変更するように制御し、
前記機器の使用状態情報は、前記電源の投入回数と使用期間とのうちの少なくとも一方を含む、警報器。
【手続補正２】
【補正対象書類名】明細書
【補正対象項目名】０００７
【補正方法】変更
【補正の内容】
【０００７】
この発明の第１の局面による警報器は、ガス、火災および一酸化炭素のうちの少なくとも１つを検知する検知部と、報知を行う報知部と、電源の投入時の点検動作において、状態を報知部に報知させるように制御する制御部とを備え、制御部は、電源の投入時に点検動作を実施し、電源の投入時の点検動作における、正常である場合の報知部からの報知の態様を、電源が投入されたことに基づく機器の使用状態情報に基づいて変更するように制御する。
【手続補正３】
【補正対象書類名】明細書
【補正対象項目名】０００８
【補正方法】変更
【補正の内容】
【０００８】
この発明の第１の局面による警報器では、上記の構成によって、正常である場合の報知部からの報知の態様が、機器の使用状態情報に基づいて変更されるので、報知の態様をユーザに不快感を与えないように変更することができる。これにより、報知に起因して、ユーザに不快感を与えるのを抑制することができる。
上記第１の局面による警報器において、好ましくは、制御部は、電源の投入時に点検動作を実施し、電源の再投入時の点検動作における、正常である場合の報知部からの報知の態様を、電源が投入されたことに基づく機器の使用状態情報に基づいて変更するように制御する。
【手続補正４】
【補正対象書類名】明細書
【補正対象項目名】０００９
【補正方法】変更
【補正の内容】
【０００９】
上記第１の局面による警報器において、好ましくは、報知部は、少なくとも音声によって状態を報知するように構成されており、制御部は、機器の使用状態情報に基づいて、正常である場合の報知部から報知される音声を小さくするか、または、正常であることを音声により報知しないように制御する。このように構成すれば、正常である場合の報知部から報知される音声が小さい場合には、報知の音声がユーザに耳障りにならないので、ユーザに不快感を与えるのを抑制することができる。また、正常であることを音声により報知しない場合には、報知の音声をユーザが聞くことはないので、ユーザに不快感を与えるのを抑制することができる。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
この発明の第２の局面による警報器は、ガス、火災および一酸化炭素のうちの少なくとも１つを検知する検知部と、報知を行う報知部と、電源の投入時の点検動作において、状態を報知部に報知させるように制御する制御部とを備え、制御部は、電源の投入時に点検動作を実施し、電源の投入時の点検動作における、正常である場合の報知部からの報知の態様を、機器の使用状態情報に基づいて変更するように制御し、報知部は、電源の投入時の点検動作において、異常である場合を報知するように構成されており、制御部は、異常である場合の報知の態様を、機器の使用状態情報にかかわらず同じになるように制御し、点検動作の操作を受け付ける点検動作受付部をさらに備え、制御部は、点検動作受付部によって点検動作が受け付けられた場合、正常である場合の報知の態様と、異常である場合の報知の態様とを、機器の使用状態情報にかかわらず同じになるように制御する。これにより、警報器が異常である場合には、必ず報知が行われるので、異常である警報器が継続して使用されるのを抑制することができる。また、ユーザが意図的に点検動作受付部を操作して点検動作を行う場合には、正常である場合および異常である場合の報知が必ず行われる。これにより、ユーザの意に反して、報知が行われなくなる（または、報知が聞き取りにくくなるなど）のを抑制することができる。
【手続補正７】
【補正対象書類名】明細書
【補正対象項目名】００１３
【補正方法】変更
【補正の内容】
【００１３】
この発明の第３の局面による警報器は、ガス、火災および一酸化炭素のうちの少なくとも１つを検知する検知部と、報知を行う報知部と、電源の投入時の点検動作において、状態を報知部に報知させるように制御する制御部とを備え、制御部は、電源の投入時に点検動作を実施し、電源の投入時の点検動作における、正常である場合の報知部からの報知の態様を、機器の使用状態情報に基づいて変更するように制御し、機器の使用状態情報は、電源の投入回数と使用期間とのうちの少なくとも一方を含む。これにより、警報器が家屋等に設置された初期の期間であると考えられる電源の投入回数が比較的小さい場合（使用期間が比較的短い場合）と、警報器が家屋等に設置された後に警報器の動作が継続して行われている期間であると考えられる電源の投入回数が比較的多い場合（使用期間が比較的長い場合）との間で、報知の態様を変更することができる。